(57)【要約】【課題】大型のポンプにおいても、ポンプケーシングの駆動部への着脱を一人でも容易かつ正確に行うことができる２軸スクリューポンプを提供することを目的としている。【解決手段】一対のポンプスクリューがそれぞれその一端を回転自在に支承された駆動部と、この駆動部に着脱自在で、装着状態で一対のポンプスクリューを内包し、内部にポンプ室を形成するポンプケーシングと、駆動部およびポンプケーシングを下方から支持する基台部とを備える２軸スクリューポンプにおいて、ポンプケーシングが、ポンプスクリューの回転軸に平行状態で基台部上面に設けられた複数のスライドバーによって駆動部に対して離接方向にスライド自在に支持されていることを特徴としている。【選択図】      図１
2005105910.tif 000002
【特許請求の範囲】
【請求項１】
一対のポンプスクリューがそれぞれその一端を回転自在に支承された駆動部と、この駆動部に着脱自在で、装着状態で一対のポンプスクリューを内包し、内部にポンプ室を形成するポンプケーシングと、駆動部およびポンプケーシングを下方から支持する基台部とを備える２軸スクリューポンプにおいて、
ポンプケーシングが、ポンプスクリューの回転軸に平行状態で基台部上面に設けられた複数のスライドバーによって駆動部に対して離接方向にスライド自在に支持されていることを特徴とする２軸スクリューポンプ。
【請求項２】
スライドバーおよび基台部が、ポンプスクリュー側の一端にスライドバー上に駆動部から分離されたポンプケーシングを載せた状態で、スライドバーおよび基台部の他の部分からそれぞれ分離可能になっているとともに、基台部の分離可能部分がキャスターによって支持されている請求項１に記載の２軸スクリューポンプ。
【発明の詳細な説明】
【技術分野】
【０００１】
本発明は、被移送物に剪断力を与えることなく移送する２軸スクリューポンプに関する
ものである。
【背景技術】
【０００２】
図６に示すように、従来の２軸スクリューポンプ１００は、一対のポンプスクリュー（図示せず）がそれぞれその一端を回転自在に支承された駆動部２００と、一対のポンプスクリューを内包し、内部にポンプ室（図示せず）を形成するポンプケーシング３００と、駆動部２００およびポンプケーシング３００を下方から支持する基台部４００とを備え、ポンプスクリューを回転させることによって、取入口２１０からポンプ室内に入った被移送物を吐出口２２０へ搬送するようになっている（たとえば、特許文献１参照）。
【０００３】
すなわち、一対のポンプスクリューは、非接触状態で逆向きに同期回転し、被移送物がポンプスクリューのポンプ作用によりポンプ室内を圧送され吐出されるようになっていて、被移送物であっても、一旦ポンプ室内に取り込めばポンプスクリューのポンプ作用により圧送することができるようになっている。
また、ポンプケーシング３００が、駆動部２００から締め込んだボルト２１０を取り外し、ポンプケーシング３００を手で支えながら、駆動部２００から離れる方向にスライドさせることによって、駆動部２００から分離でき、ポンプ室内やポンプスクリューなどの被移送物と接触する部分を洗浄することが可能になっている。
【０００４】
【特許文献１】特開昭６２−２７６２８５号公報
【発明の開示】
【発明が解決しようとする課題】
【０００５】
ところで、被移送物が食品材料である場合、頻繁にポンプ室内やポンプスクリューなどの被移送物と接触する部分を洗浄しなければならない。
しかし、２軸スクリューポンプの場合、ポンプケーシング３００を駆動部に着脱する際、ポンプケーシング３００を水平に保ちつつ慎重にスライドさせなければ、ポンプスクリューがポンプ室内壁面にあたり、ポンプスクリューあるいはポンプ室内壁面を傷める恐れがあり、作業性が悪い。特に大型ポンプにおいては、ポンプケーシング３００の重量が２０ｋｇ以上にもなり、一人では、ポンプケーシング３００の取り外しおよび組み立て作業を行うことが難しい。ところで、被移送物が食品材料である場合、頻繁にポンプ室内やポンプスクリューなどの被移送物と接触する部分を洗浄しなければならず、非常に大変である。
【０００６】
本発明は、上記した従来の問題点に鑑みてなされたものであり、大型のポンプにおいても、ポンプケーシングの駆動部への着脱を一人でも容易かつ正確に行うことができる２軸スクリューポンプを提供することを目的としている。
【課題を解決するための手段】
【０００７】
上記目的を達成するために、本発明に係る２軸スクリューポンプは、一対のポンプスクリューがそれぞれその一端を回転自在に支承された駆動部と、この駆動部に着脱自在で、装着状態で一対のポンプスクリューを内包し、内部にポンプ室を形成するポンプケーシングと、駆動部およびポンプケーシングを下方から支持する基台部とを備える２軸スクリューポンプにおいて、ポンプケーシングが、ポンプスクリューの回転軸に平行状態で基台部上面に設けられた複数のスライドバーによって駆動部に対して離接方向にスライド自在に支持されていることを特徴としている。
【０００８】
本発明の２軸スクリューポンプにおいては、スライドバーおよび基台部が、ポンプスクリュー側の一端にスライドバー上に駆動部から分離されたポンプケーシングを載せた状態で、スライドバーおよび基台部の他の部分からそれぞれ分離可能になっているとともに、基台部の分離可能部分がキャスターによって支持されていることが好ましい。
【発明の効果】
【０００９】
本発明に係る２軸スクリューポンプによれば、ポンプケーシングがスライドバーによってスライド自在に支持されているので、大型のポンプであっても、ボルト等の固定手段によるポンプケーシングの駆動部への固定を解除し、ポンプケーシングを駆動部から離れる方向に引っ張れば、ポンプケーシングがポンプスクリューに接触することなくスライドバーに受けられた状態でスムーズにスライドして駆動部から分離でき、ポンプスクリューが外部に露出する。したがって、ポンプスクリューやポンプ室等の被移動物が接触する部分の洗浄を一人作業でも容易に行える。また、洗浄等が完了し、再びポンプケーシングを駆動部に固定する場合も、ポンプケーシングをスライドバーに受けられた状態で駆動部に当接するまでスライドさせれば、ポンプケーシングを正確に固定位置セットすることができる。
【００１０】
また、スライドバーおよび基台部が、ポンプスクリュー側の一端にスライドバー上に駆動部から分離されたポンプケーシングを載せた状態で、スライドバーおよび基台部の他の部分からそれぞれ分離可能になっている構成とすれば、ポンプスクリューの部分のみを切り離して他所へ容易に運ぶことができる。
【発明を実施するための最良の形態】
【００１１】
以下に、本発明の最良の実施形態を図面に基づいて説明する。
図１〜図３は、本発明に係る２軸スクリューポンプの第１の実施の形態をあらわしている。
【００１２】
図１および図２に示すように、この２軸スクリューポンプ１は、基台部２と、駆動部３と、ポンプケーシング４と、２本のスライドバー５とを備えている。
基台部２は、平板状をした基台部本体２１と、基台部本体２１の四隅を下方から受けるように設けられた４つのキャスター（図では２つしかあらわれていない）２２と、基台部本体２１の長手方向の一端に設けられた操作ハンドル２３とを備えている。
【００１３】
駆動部３は、駆動部本体３１と、モータ３２と、一対のポンプスクリュー（図では片側しかあらわれていない）３３と、カップリング３４とを備えている。
駆動部本体３１は、その駆動軸がモータ３２の駆動軸とカップリングを介して連結されていて、モータ３２の駆動力によって駆動軸が回転するようになっている。
【００１４】
１対のポンプスクリュー３３は、図３に示すように、スクリューの歯が非接触状態で噛合してその一端が駆動部本体３１に回転自在に支承されているとともに、モータ３２の回転駆動力が駆動部本体３１内に設けられたギヤー（図示せず）によって伝達され、逆方向に同期して回転するようになっている。
【００１５】
ポンプケーシング４は、ポンプ室４１を内部に備えたケーシング本体４２と、駆動部３の反対側の面に水平に設けられた被移動物が取り入れられる取入口４３と、ケーシング本体４２の駆動部３側の上面から突出するように設けられた被移動物が吐出される吐出口４４とを備え、ボルト３５を介して駆動部３に固定されるようになっている。
また、ケーシング本体４２は、図３に示すように、その両端のフランジ部４６の下端両側部に後で詳述するスライドバー５が嵌まり込む断面四角形のガイド溝４５がそれぞれ設けられている。
【００１６】
２本のスライドバー５は、支持脚部５１を介して基台部本体２１の上面にポンプスクリュー３３の回転軸に平行でかつ水平に支持されていて、ガイド溝４５が嵌まり込んだ状態でポンプケーシング４をスライド自在に下方から受けている。
【００１７】
この２軸スクリューポンプ１は、以上のように、ポンプケーシング４がスライドバー５によってスライド自在に支持されているので、ボルトを緩めてポンプケーシング４の駆動部３への固定を解除し、ポンプケーシング４を駆動部３から離れる方向に引っ張れば、図２に示すように、ポンプケーシング４がポンプスクリュー３３に接触することなくスライドバー５に受けられた状態でスムーズにスライドして駆動部３から分離することができる。したがって、大型のポンプであっても、一人作業で、ポンプスクリュー３３およびポンプ室４１を傷つけたりすることなく、容易に洗浄できる状態にすることができる。
【００１８】
一方、洗浄等が完了し、再びポンプケーシング４を駆動部３に固定する場合も、ポンプケーシング４をスライドバー５に受けられた状態で駆動部３に当接するまでスライドさせれば、ポンプケーシング４を正確に固定位置セットすることができる。
また、基台部２が、基台部本体２１がキャスター２２によって下方から受けられるとともに、操作ハンドル２３を備えているので、取入口４３および吐出口４４に接続された、被移動物の移送配管（図示せず）を取り外せば、操作ハンドル２３を持って押すことによって離れた洗浄場所へも容易に移動させることができる。
【００１９】
図４および図５は、本発明に係る２軸スクリューポンプの第２の実施の形態をあらわしている。
図４および図５に示すように、この２軸スクリューポンプ６は、基台部７が、固定部７ａと可動部７ｂとを備えるとともに、スライドバー８が、固定部側バー８ａと可動部側バー８ｂとに分割されている以外は、上記の２軸スクリューポンプ１と同様になっている。
【００２０】
すなわち、基台部７の固定部７ａは、平板状をした本体部７１と、この本体部７１を四隅で支持するアジャスター付き支持脚７２とを備え、駆動部３およびスライドバー８の固定部側バー８ａが本体部７１の上面に固定されている。
基台部７の可動部７ｂは、キャスター７３付きの台車部７４と、台車部７４に固定されたハンドル７５とを備え、スライドバー８の可動部側バー８ｂがアジャスター８３を介して台車部７４に支持されている。
【００２１】
また、スライドバー８は、固定部側バー８ａの連結端部に嵌合凹部８１が設けられ、可動部側バー８ｂの連結端部に、嵌合凹部８１に嵌まり込む嵌合凸部８２が設けられている。
このこの２軸スクリューポンプ６は、以上のように、基台部７およびスライドバー８が固定部と可動部に分割されているので、図４に示すように、ポンプケーシング４を可動部７ｂ側にスライドさせれば、可動部７ｂにポンプケーシング４を載せて駆動部３と離れた広い場所に移動させて洗浄作業を容易に行えるようにしたりすることができる。
【００２２】
また、固定部側バー８ａの連結端部に嵌合凹部８１が設けられ、可動部側バー８ｂの連結端部に、嵌合凹部８１に嵌まり込む嵌合凸部８２が設けられているので、嵌合凹部８１に嵌合凸部８２を嵌合させれば、固定部側バー８ａと可動部側バー８ｂとを正確に軸を一致した状態で連結できる。
【００２３】
本発明に係る２軸スクリューポンプは、上記の実施の形態に限定されない。すなわち、上記実施の形態は、本発明を具体化した一例に過ぎず、本発明の技術的範囲を限定するものでない。
たとえば、上記の実施の形態では、取入口が水平方向に設けられていたが、ケーシング本体の上面から突出するように設けることも可能である。
【００２４】
上記の実施の形態では、ガイド溝が断面四角形であったが、スライドバーに沿ってスライド可能で、スライドバーから外れない形状であれば、断面三角形や楕円形でも構わない。また、ガイド溝の内面にコロ等を設けるようにしても構わない。
【図面の簡単な説明】
【００２５】
【図１】本発明に係る２軸スクリューポンプの第１の実施の形態をあらわす正面図である。
【図２】図１の２軸スクリューポンプのポンプケーシングを駆動部から分離した状態の正面図である。
【図３】図１のＸ―Ｘ線断面図である。
【図４】本発明に係る２軸スクリューポンプの第２の実施の形態をあらわし、そのポンプケーシングを駆動部から分離した状態の正面図である。
【図５】図４のＹ方向矢視図である。
【図６】従来の２軸スクリューポンプの正面図である。
【符号の説明】
【００２６】
１，６  ２軸スクリューポンプ
２  基台部
３  駆動部
４  ポンプケーシング
５，８  スライドバー
３３  ポンプスクリュー
４１  ポンプ室
７３  キャスター
【図１】
2005105910.tif 000003
【図２】
2005105910.tif 000004
【図３】
2005105910.tif 000005
【図４】
2005105910.tif 000006
【図５】
2005105910.tif 000007
【図６】
2005105910.tif 000008